(57)【要約】  【課題】従来の工具において、不陸部分が平面で受けているときには、切断のための刃物の位置が本来位置させたい部分からはずれてしまうことが防げないという課題を有していた。  【解決手段】床材裁断具を移動させるための把手と、床材裁断具の左右に第１型付けローラーと、第２型付けローラーと、上記第１型付けローラーと上記第２型付けローラーの外側に位置するガイドプレートとを具備し、上記第１型付けローラーは上記第２型付けローラーよりも進行方向上流に位置し、かつ上記第１型付けローラーの角部の面取り寸法は上記第２型付けローラーの面取り寸法よりも大きい面取り寸法とされ、上記第２型付けローラーより下流側において上記ガイドプレートへ床材裁断用の刃物を有している床材裁断具を提供する。【選択図】    図１
2019134898.tif 000002
【特許請求の範囲】
【請求項１】
床材を裁断するための床材裁断具であって、
床材裁断具を移動させるための把手と、
床材裁断具の左右に第１型付けローラーと、第２型付けローラーと、
上記第１型付けローラーと上記第２型付けローラーの外側に位置するガイドプレートと
を具備し、
上記第１型付けローラーは上記第２型付けローラーよりも進行方向上流に位置し、かつ上記第１型付けローラーの角部の面取り寸法は上記第２型付けローラーの面取り寸法よりも大きい面取り寸法とされ、
上記第２型付けローラーより下流側において上記ガイドプレートへ床材裁断用の刃物を有していることを特徴とする床材裁断具。
【請求項２】
上記ガイドプレートは本体ベースに着脱自在に構成されていることを特徴とする請求項１記載の床材裁断具。
【請求項３】
上記ガイドプレートの上記第１型付けローラーと上記第２型付けローラーとの外側に位置するプレートが下方になるほど上記床材裁断具の上記本体ベース側から離れるように傾斜した状態に設置されていることを特徴とする請求項１または請求項２記載の床材裁断具。
【発明の詳細な説明】
【技術分野】
【０００１】
本発明は、内装の施工時に使用する工具に関するものである。さらに詳しくは、床に床材を敷設する際に使用するもので、作業者の負担を軽減しながら床材を敷き込むために裁断する工具に関するものである。
【背景技術】
【０００２】
従来より、床材を施工する際に裁断する工具が種々が知られている。特許文献１は、凸面形状の湾曲面となった２つの型付けローラを有し、床面から壁面に跨がって敷かれたシート状床材をほぼ型付けローラの湾曲面に沿った型付け状態にするとともに、これらの型付けローラが床面および壁面との間でシート状床材の一部を挟みつつ、壁面に沿って転動し、この転動に伴って２つの型付けローラ間に設けられたカッターによってシート状床材を切断するシート状床材のカッター装置であって、前記シート状床材の、転動方向前方側の型付けローラによって型付け状態にされた部分を、カッターに至るまで型付け状態を保つようにガイド面でガイドするガイド板が少なくとも転動方向前方側の型付け型付けローラとカッターとの間に設けられていることを特徴とするカッター装置が知られている。
【０００３】
特許文献２は、第一の刃と、第二の刃と、前記第一の刃と前記第二の刃を設けた本体と、前記本体と可動的に接続されたガイドを有し、前記本体が前記ガイドに対して動くことにより前記ガイドから前記第一の刃または前記第二の刃が出て前記第一の刃と前記第二の刃の間に第三の刃を有することを特徴とするカッターが知られている。
【０００４】
特許文献３は、第１の刃と、第２の刃と、前記第１の刃と前記第２の刃を収納する本体と、前記本体と接続され、刃を突出する隙間と設けたガイドを有し、前記第１の刃または前記第２の刃が前記隙間より突出することを特徴とするカッターが知られている。
【先行技術文献】
【特許文献】
【０００５】
【特許文献１】特開２００６−１５８５５８号公報
【特許文献２】特開２０１５−９３１７９号公報
【特許文献３】特開２０１６−３９８９４号公報
【発明の開示】
【発明が解決しようとする課題】
【０００６】
特許文献１のカッター装置は、２つの型付けローラと、その２つの型付けローラの間にカッターが設けられるという構成をしており、カッター装置を切断開始位置から切断終了位置まで移動させたときに、切断の始めと切断の終わりにおいて切断対象物は切断できない部分が残ってしまうという課題を有していた。
【０００７】
特許文献２のカッターは、切断する床材に接する部分はガイドカバーであって、板部材で床材の上に載置する構成であるものとなっている。特許文献１のようにローラーで床材上を移動するものと、板状態の物品の平面で床材上を移動するものがあるのであるが、板状の物品の平面で床材上を移動するものは、床材の下方の下地の不陸の影響を受けやすいので、わずかな不陸であっても、その不陸部分が平面で受けているときには、切断のための刃物の位置が本来位置させたい部分からはずれてしまうことが防げないという課題を有していたのである。
【０００８】
特許文献３のカッターは、フック刃が使用されているものである。フック刃は下地、特には巾木を傷つけることなく床材を裁断することに適しているが、フック刃で裁断するためには床材の端部を切断し、フック状になった部分に床材を位置させるようにする手間がかかってしまうものでもある。そして、うまく床材を裁断位置にセットできずにいると裁断しようと思っていたところと違う部分に刃を食い込ませてしまうこととなり仕上がりが悪くなるという課題があるのである。
【０００９】
また、特許文献３のカッターは切断する床材に接する部分は角度調整板であり、板部材で床材の上に載置する構成であるものとなっており、特許文献２と同様の不陸に対する課題を有していたのである。
【課題を解決するための手段】
【００１０】
上記の課題を解決するために本発明は、床材を裁断するための床材裁断具であって、床材裁断具を移動させるための把手と、床材裁断具の左右に第１型付けローラーと、第２型付けローラーと、上記第１型付けローラーと上記第２型付けローラーの外側に位置するガイドプレートとを具備し、上記第１型付けローラーは上記第２型付けローラーよりも進行方向上流に位置し、かつ上記第１型付けローラーの角部の面取り寸法は上記第２型付けローラーの面取り寸法よりも大きい面取り寸法とされ、上記第２型付けローラーより下流側において上記ガイドプレートへ床材裁断用の刃物を有していることを特徴とする。
【００１１】
また、上記ガイドプレートは本体ベースに着脱自在に構成されていることを特徴とする。
【００１２】
また、上記ガイドプレートの上記第１型付けローラーと上記第２型付けローラーとの外側に位置するプレートが下方になるほど上記床材裁断具の上記本体ベース側から離れるように傾斜した状態に設置されていることを特徴とする。
【発明の効果】
【００１３】
第１型付けローラーは第２型付けローラーよりも進行方向上流に位置し、かつ第１型付けローラーの角部の面取り寸法は第２型付けローラーの面取り寸法よりも大きい面取り寸法とされており、第２型付けローラーより下流側においてガイドプレートへ床材裁断用の刃物を有している構成としているので、第１型付けローラーでまず第１段階目の床材の折り曲げが実施され、第２型付けローラーでさらに小さな面取り寸法によって床材が折り曲げられた状態として刃物が床材を裁断するので安定した裁断が実施できることとなる。
【００１４】
そして、床材裁断具の左右に第１型付けローラー、第２型付けローラーを設けているのでローラーによって床材の上に床材裁断具は載置され、床下地の不陸の影響も受けにくく安定して進行方向への移動を行え、床材の裁断が可能である。
【図面の簡単な説明】
【００１５】
【図１】本発明の床材切断具の構成を説明する図である。
【図２】本発明の床材切断具の構成を説明する平面図である。
【図３】本発明の床材切断具の構成を説明するカッター設置側からみた状態の図である。
【図４】裁断を完了した床材を敷き込んだ状態を説明する図である。
【図５】本発明の別の実施形態の床材切断具の構成を説明する図である。
【発明を実施するための最良の形態】
【００１６】
本発明の実施形態について図面を用いながら説明をする。床材裁断具１は、本体ベース２と、本体ベース２の上部に設けられた把手３を有している。そして、本体ベース２の床材裁断具１進行方向上流側に第１型付けローラー４，４、進行方向下流側  に第２型付けローラー５，５を回転自在に設けている。
【００１７】
そして、上記第１型付けローラー４，４と第２型付けローラー５，５の間にネジ部６，６を設けている。このネジ部６，６に図に示した折り曲げで製作されたガイドプレート７，７が着脱自在に設けられている。
【００１８】
第１型付けローラー４，４は図に示しているように本体ベースから離れるほど外周が大きくなる形状をしており、テーパ状のローラーとなっている。そして床材を折り曲げる角部４ａには所定の面取りが行われている。
【００１９】
第２型付けローラー５，５についても図に示しているように本体ベースから離れるほど外周が大きくなる形状をしており、テーパ状のローラーとなっている。そして床材を折り曲げる角部５ａには所定の面取りが行われている。
【００２０】
第１型付けローラー４，４が進行方向において上流側となるので角部４ａの面取りの方が大きく、第２型付けローラー５，５の角部５ａの面取りの方が小さい寸法に設定されている。これは、進行方向において上流側に位置する第１型付けローラー４，４によって第１段階の床材の折り曲げを行い、第２型付けローラー５，５によって第２段階のより小さな面取りの角部５ａで床材の折り曲げを行うことで確実な床材の折り曲げを実施するための構成である。
【００２１】
第１型付けローラー４，４や第２型付けローラー５，５は本体ベース２に図示しない取付ネジによって回転可能に取り付けられており、ローラーの交換や、別の面取り寸法としたローラーへの交換も可能な構成となっている。
【００２２】
ガイドプレート７，７には、進行方向下流側において、床材を裁断するための刃物８，８が設置されている。この刃物８，８は市販されているカッターナイフ用の大刃を使用しても良いし、市販のフック刃を使用しても良い。本実施形態の説明においては、価格の安いカッターナイフ用の大刃を使用した構成で説明する。
【００２３】
刃物８，８はガイドプレート７，７の第２型付けローラー５，５が配置された側に設置されており、刃物固定ネジ９，９で固定され、刃物突出量の調整が可能に構成されている。そしてまた、図３に示すようにガイドプレート７，７は  第１型付けローラー４，４や第２型付けローラー５，５に沿うように角度を設けて設置されており、ガイドプレート７，７に設けられている刃物８，８も傾斜した状態となる。
【００２４】
このガイドプレート７，７の傾斜角度は７０度程度に設定されており、床材を裁断する際に、床材Ｙを図４に示すように斜めに裁断ができる構成となっているのである。壁面と床面のコーナーの角度は９０度とは限らず、コーナーには突起物が存在するために、床材Ｙの裁断を傾斜裁断部Ｘのように裁断することで床材Ｙの収まりが良くなるのである。
【００２５】
刃物８，８による裁断位置を調整することも本床材裁断具１は可能であり、例えば切断する床材の厚み分だけ調整したい場合には、本体ベース２とガイドプレート７，７の間にその床材を挟み込み、ネジ部６，６で固定する。場合によっては、第２型付けローラー５，５とガイドプレート７，７の間にも当該の床材を挟み、ガイドプレート７，７側へ適宜テープ等にて外れないように固定することで、第１型付けローラー４と第２型付けローラー５に対してガイドプレート７の位置を調整できるので、ガイドプレート７に設けられた刃物８の位置を調整できるという構成になっているのである。もちろん第１型付けローラー４とガイドプレート７の間にも床材を挟むようにしても良いのである。
【００２６】
次に本床材裁断具１の使用方法について説明する。床材が折り曲げにくい素材である場合には、刃物８，８は全く突出していない状態に刃物固定ネジ９，９で固定し、第１型付けローラー４，４と第２型付けローラー５，５によってまずは切断する床材の折り曲げぐせをつけておく。
【００２７】
折り曲げぐせを付け終わるか、折り曲げぐせをつける必要のない床材であれば、刃物固定ネジ９を操作して２つのうちの刃物８，８のいずれか片方の突出量を調整する。床材裁断具１を右から左に移動させて床材を裁断したい場合は、図１における紙面奥側の刃物８の突出量を調整し、床材裁断具１を左から右に移動させて床材を裁断したい場合は、図１における紙面手前側の刃物８の突出量を調整する。床材裁断具１を左から右に移動させる場合は図１に図示した床材裁断具１は１８０度反転させた状態で使用することとなる。説明においては図１の通りの状態で右から左に移動させる裁断で説明をする。
【００２８】
図１における紙面奥側に位置する第１型付けローラー４と第２型付けローラー５にガイドプレート７が沿うように位置しながら、作業者が床材切断具１を切断位置へ移動させる。このとき、突出させた刃物８で床材を傷つけたりしないよう、また、刃物８の刃先が切断位置でないところへ食い込んだりしないように確認しながら、壁際の裁断開始位置へ移動させる。
【００２９】
床材裁断具１を裁断開始位置へ移動させれば、刃物８を床材に食い込ませる。床材裁断具１は４つのローラーすなわち、それぞれ２つの第１型付けローラー４と第２型付けローラー５で床材を押さえつけた状態になる。
【００３０】
第１型付けローラー４と第２型付けローラー５よりも床材側に位置するガイドプレート７が存在することによって、第１型付けローラー４と第２型付けローラー５は壁に沿って平行な状態が維持されるので、作業者が把手３を持って移動させても床材裁断具１が蛇行することもなく、また体重を多くかけたりする負荷をかけることなく壁に沿って床材の裁断ができるのである。
【００３１】
床材裁断具１が壁の終わりに近づくと第１型付けローラー４が干渉したりして床材裁断具１を進行させることができなくなるので、その時に、刃物８を床材から離脱させ、床材裁断具１の刃物８を突出しない状態に調整し、また図１の紙面手前側の刃物８を先ほど行っていた裁断と同じ突出量になるように調整する。そして床材裁断具１を１８０度反転させ、裁断開始の際の手順によって、左から右に移動させる手順で裁断できていない部分の床材を切断すると裁断が完了するのである。
【００３２】
裁断の完了した床材Ｙは図４に示すように表面側の寸法が大きく、床下地側となる側が寸法が小さくなり傾斜した状態に裁断され、厚みが薄くなっている床材Ｙの先端が壁面Ｗに当接し、隙間がなく美しい仕上がりとなる。
【００３３】
床材には、業務用と家庭用の床材が販売されており、一般的に業務用の床材は家庭用の床材より厚みが厚く、使用されている素材も硬い。そのため第１型付けローラー４の角部４ａの面取りは業務用であれば半径６ｍｍの円弧状となった面取りとすることが望ましく、家庭用の床材であれば半径４ｍｍの円弧状となった面取りとすることが望ましい。そして第２型付けローラー５の角部５ａは半径４ｍｍの円弧状となった面取りとしておくことが望ましい。
【００３４】
床材が業務用か家庭用かで、面取りの寸法を変えた第１型付けローラーを交換しながら施工するような構成としても良いのである。もちろん本発明は上記の第１型付けローラー４の角部４ａや第２型付けローラー５の角部５ａの寸法に限定するものではなく、第１型付けローラー４の角部４ａや第２型付けローラー５の角部５ａについては、角部４ａの面取り寸法が角部５ａの面取り寸法よりも大きい設定であれば種々の寸法が採用できることはいうまでもない。
【００３５】
また、上記の実施形態の説明においてはガイドプレート７は第１型付けローラー４や第２型付けローラー５に沿う一体物として説明したが、一体物でなく、２分割したものとして、それぞれネジ部で固定するような形態として配置させても良いのである。
【００３６】
本発明の別の実施形態を図５に示して説明する。図１から図３に説明した実施形態においては、左右対称のガイドプレートを本体ベースに取り付ける構成で説明したが、１つのガイドプレート７として構成しても良いのである。
【００３７】
すなわち、把手３を挿通する穴部を有して、把手３の外側で本体ベース２に固定するためのネジ部６をそれぞれ有して固定するような実施形態とすることができる。図５においては紙面上側に位置するネジ部は把手３で見えない位置となるために図示を省略している。
【００３８】
そして、ガイドプレート７は、第２型付けローラー５，５より下流側において刃物８，８を有しており、この刃物８，８は刃物固定ネジ９，９によって固定され、刃物８，８の突出量の調整も可能に構成されているのである。
【００３９】
上記のように構成されている床材裁断具１において、床材の厚みに対して調整するのは、図５に点線で図示したように本体ベース２とガイドプレート７の間に厚み調整用の床材などを適宜挟むことで調整可能となるのである。
【符号の説明】
【００４０】
１      床材裁断具
２      本体ベース
３      把手
４      第１型付けローラー
５      第２型付けローラー
６      ネジ部
７      ガイドプレート
８      刃物
９      刃物固定ネジ
Ｗ      壁面
Ｘ      傾斜裁断部
Ｙ      床材
【図１】
2019134898.tif 000003
【図２】
2019134898.tif 000004
【図３】
2019134898.tif 000005
【図４】
2019134898.tif 000006
【図５】
2019134898.tif 000007